(57)【要約】      （修正有）【課題】常に一定のボールの球速、落下位置、バウンド量で球出しをすることができるとともに、状況に応じて球速や落下位置のセッティングを任意に変えることができるテニス練習用器具を提供する。【解決手段】本体はテニスボールが挿通可能で両端を曲げて形成したパイプ状で、上側端部にはボールの投入口１ｂと投入口１ｂに続く投入曲部１ｃ、下側端部にはボールの放出口１ｄと放出口１ｄに続く放出曲部１ｅ、投入曲部１ｃと放出曲部１ｅとの間を直管部１ａとして形成し、自由雲台３ａを備えたスタンド部からなる設置手段で本体の投入口１ｂが上方を向くとともに直管部１ａが斜めになるようにテニスコートに設置して投入口１ｂにボールを入れたときに常に一定の球速、落下位置、バウンド量でボールが放出口１ｄから放出されるようした。【選択図】図１
0003215957.tif 000002
【実用新案登録請求の範囲】
【請求項１】
テニス練習用器具の本体と、テニスコートの床面への設置手段と、該本体と該設置手段とを固定する装着手段とからなり、本体は、テニスボールが挿通可能で両端を曲げて形成したパイプ状であって、上側端部にはボールの投入口と投入口に続く投入曲部、下側端部にはボールの放出口と放出口に続く放出曲部、投入曲部と放出曲部との間を直管部として形成し、設置手段によって本体の投入口が上方を向くとともに直管部が斜めになるようにテニスコートの床面に設置したことを特徴とするテニス練習用器具。
【請求項２】
テニス練習用器具の本体と、テニスコートの床面への設置手段と、該本体と該設置手段とを固定する装着手段とからなり、本体は、テニスボールが挿通可能で両端を曲げて形成したパイプ状であって、上側端部にはボールの投入口と投入口に続く投入曲部、下側端部にはボールの放出口と放出口に続く放出曲部、投入曲部と放出曲部との間を緩やかな円弧状の曲管部として形成し、設置手段によって本体の投入口が上方を向くとともに曲管部が斜めになるようにテニスコートの床面に設置したことを特徴とするテニス練習用器具。
【請求項３】
テニスコートの床面への設置手段は、雲台を備えたカメラの三脚であることを特徴とする請求項１及び請求項２の何れかに記載のテニス練習用器具。
【請求項４】
本体の投入口と放出口に着脱可能な蓋を備えたことを特徴とする請求項１乃至請求項３の何れかに記載のテニス練習用器具。
【考案の詳細な説明】
【技術分野】
【０００１】  本考案は、テニスのストロークの練習用器具に関し、特にボールの一定の球速、バウンド量、落下位置で球出しをすることができるテニス練習用器具に関する。
【背景技術】
【０００２】  従来、テニスの基礎のフォームを習得するために、コーチが手で球出しをしてそれを打球するといった練習が行われる。コーチが球出しをする際は、練習生が打球をしやすい場所に一定の球速でボールを出すことが重要である。しかしながら、コーチの技量によっては、練習生が打球をしやすい場所に一定の球速でボールを出すことは以外に難しく、場所や球速がぶれて一定ではなくなり、練習生にとってはテニスの基礎のフォームを習得しづらいものとなってしまう。【０００３】  そこで、コーチの技量にかかわらず誰が球出しをしても常に練習生が打球をしやすい場所に一定の球速でボールを出すことができる装置が提案されている。例えば実用新案登録第３１４７１３３号公報（特許文献１）の折り畳み式ボール出し機は、当該公報の図１及び段落番号０００４などに記載されるように、４脚の枠体で構成された台座部分（当該公報の図３参照）の上にボールの直径より幅の狭い２本の部材で構成されたボールを飛ばす装置（当該公報の図２参照）を取り外し自在に固定したものである。使用時は、当該公報段落番号０００７に記載されるように、ボールを飛ばす装置の背面の先端側短い棒８にボールを乗せると後端側長めの棒９を転がり落ちて、先端部上方の湾曲部分１０で上に上がり落ちて弾むことになる。これによって、誰が球出しをしても同じところにボールが落下するように構成されたものである。
【先行技術文献】
【０００４】
【特許文献１】実用新案登録第３１４７１３３号公報
【考案の概要】
【考案が解決しようとする課題】
【０００５】  特許文献１に示された折り畳み式ボール出し機は、前述したような構成であるため、ボールが放出される部分であるボールを飛ばす装置の先端部上方の湾曲部分１０の高さ位置やを変えることが不可能であるため、球出しされるボールの球速や落下位置は常に一定となり、状況に応じて球速や落下位置を任意に変えることができないという不都合があった。【０００６】  そこで、本考案は上記した課題を考慮し、常に一定のボールの球速、落下位置、バウンド量で球出しをすることができるとともに、状況に応じて球速や落下位置のセッティングを任意に変えることができるテニス練習用器具を提供することを目的とするものである。
【課題を解決するための手段】
【０００７】  かかる課題を解決するために、本考案の請求項１によれば、テニス練習用器具の本体と、テニスコートの床面への設置手段と、該本体と該設置手段とを固定する装着手段とからなり、本体は、テニスボールが挿通可能で両端を曲げて形成したパイプ状であって、上側端部にはボールの投入口と投入口に続く投入曲部、下側端部にはボールの放出口と放出口に続く放出曲部、投入曲部と放出曲部との間を直管部として形成し、設置手段によって本体の投入口が上方を向くとともに直管部が斜めになるようにテニスコートの床面に設置したことで解決される。【０００８】  かかる課題を解決するために、本考案の請求項２によれば、テニス練習用器具の本体と、テニスコートの床面への設置手段と、該本体と該設置手段とを固定する装着手段とからなり、本体は、テニスボールが挿通可能で両端を曲げて形成したパイプ状であって、上側端部にはボールの投入口と投入口に続く投入曲部、下側端部にはボールの放出口と放出口に続く放出曲部、投入曲部と放出曲部との間を緩やかな円弧状の曲管部として形成し、設置手段によって本体の投入口が上方を向くとともに曲管部が斜めになるようにテニスコートの床面に設置したことで解決される。【０００９】  かかる課題を解決するために、本考案の請求項３によれば、テニスコートの床面への設置手段は雲台を備えたカメラの三脚であることで解決される。【００１０】  かかる課題を解決するために、本考案の請求項４によれば、本体の投入口と放出口に着脱可能な蓋を備えたことで解決される。
【考案の効果】
【００１１】  テニス練習用器具の本体と、テニスコートの床面への設置手段と、該本体と該設置手段とを固定する装着手段とからなり、本体は、テニスボールが挿通可能で両端を曲げて形成したパイプ状であって、上側端部にはボールの投入口と投入口に続く投入曲部、下側端部にはボールの放出口と放出口に続く放出曲部、投入曲部と放出曲部との間を直管部として形成し、設置手段によって本体の投入口が上方を向くとともに直管部が斜めになるようにテニスコートの床面に設置したことで、本体の上側端部の投入口にボールを入れたときに常に一定の球速と落下位置でボールが放出口から放出される。これにより、コーチの技量にかかわらず誰が球出しをしても常に練習生が打球をしやすい場所にボールを一定の球速、落下位置、バウンド量で球出しをすることができるとともに、状況に応じて球速や落下位置、バウンド量を任意に変えることができるテニス練習用器具を提供することが可能となった。また、直管部を緩やかな円弧状の曲管部としたり、設置手段を雲台を備えたカメラの三脚としたり、本体の本体の投入口と放出口に着脱可能な蓋を備えたことでさらに利便性を高めることが可能となった。
【図面の簡単な説明】
【００１２】
【図１】本考案の全体図である。
【図２】装着部の詳細図である。
【図３】使用状態を示す説明図である。
【図４】本考案の第２実施例の全体図である。
【図５】第２実施例の使用状態を示す説明図である。
【図６】本考案の第３実施例の全体図である。
【考案を実施するための形態】
【実施例１】
【００１３】  本考案のテニス練習用器具の第１実施例について、図面を参照して詳細に説明する。図１は、本考案の全体図である。テニス練習用器具の本体（１）は、本体（１）の長手方向中間部に備えられた装着手段である装着金具（２）と、テニスコートの床面への設置手段であるスタンド部（３）とから構成されている。【００１４】  本体（１）は、樹脂素材（ＡＢＳ、ポリエチレン、ポリプロピレン、ポリカーボネートや、カーボン繊維と各種合わせた熱可塑性樹脂など特に限定はしない）からなり、ブロー成型によってパイプ状に両端を開口して形成されている。また、パイプ状の本体（１）は、上側端部にはボール（４）の投入口（１ｂ）が開口し、投入曲部（１ｃ）によって直管部（１ａ）とつながっている。他方、下側端部にはボール（４）の放出口（１ｄ）が開口し、放出曲部（１ｅ）によって直管部（１ａ）とつながっている。【００１５】  そして、本体（１）は、設置手段であるスタンド部（３）によってテニスコートの床面に設置される。スタンド部（３）は、図１に示されるように三脚を用いており、自由雲台（３ａ）を備えている。また、本体（１）の長手方向中間部には、装着手段である装着金具（２）が、本体（１）と一体あるいは別体で備えられ、スタンド部（３）の自由雲台（３ａ）にネジ止めなどによって接続固定される。スタンド部（３）は、三脚を用いているので、所望の高さに自在に調整することができ、自由雲台（３ａ）によって本体の傾き角度を所望の状態に調整することができる。なお、図示では、回転方向と角度を自由に可変することができる自由雲台（３ａ）としたが、２本のレバーで回転方向と角度をそれぞれ可変することができる３ウェイ雲台を用いてもよい。【００１６】  図２は、装着部の詳細図である。本体（１）の長手方向中間部に備えられた装着手段である装着金具（２）にはネジ部（２ａ）が備えられ、自由雲台（３ａ）にネジ止め固定して図１に示されるように構成される。【００１７】  図３は、使用状態を示す説明図である。以上のように構成された本体（１）の使用方法について説明をする。本体（１）上側端部の投入口（１ｂ）にボール（４）を入れる。すると、ボール（４）は、投入口（１ｂ）から投入曲部（１ｃ）に落下し、斜めになった直管部（１ａ）を転がり落ち、放出曲部（１ｅ）によって放出口（１ｄ）から斜め上方に向かって放出される。放出されたボール（４）は、ボール軌跡（４ａ）に示されるようにテニスコートの床面に落ちバウンドする。そしてバウンドしたボール（４）を練習生がテニスラケットをストロークして打球する。これを繰り返して行うことによって、テニスの基礎のフォームを習得することができる。なお、ボール（４）の放出口（１ｄ）から落下位置までの距離をＡとした。【００１８】  このとき、本体（１）からボール（４）が放出される仰角、球速、落下位置と、ボール（４）のバウンド量は、本体（１）の直管部（１ａ）の仰角及び高さを三脚のスタンド（３）と自由雲台（３ａ）によって適宜調整することによって所望の状態を得ることが可能である。例えば、本体（１）の直管部（１ａ）の仰角を急にすることによってボール（４）の放出球速を高くすることができ緩くすることによって放出球速は低くなる。これらを適切に調整することによって、ボール（４）が放出されたときの所望の仰角、球速、落下位置、バウンド量を得ることができる。そして、一度適切な角度に固定すれば、コーチの技量にかかわらず誰が球出しをしても常に練習生が打球をしやすい場所にボール（４）を一定の球速、落下位置、バウンド量で球出しをすることができるとともに、状況に応じて球速や落下位置、バウンド量を任意に変えることができるテニス練習用器具を提供することが可能となった。【００１９】  なお、装着手段である装着金具（２）は、設置手段と連結可能であれば特に金具に限定することなくベルトなどによって装着してもよい。また、設置手段であるスタンド部（３）は三脚で図示したが、本体（１）の仰角及び高さを適宜調整することができれば特に三脚に限定するものではなく、フレームを組み合わせたようなラック状のものでもよい。
【実施例２】
【００２０】  本考案のテニス練習用器具の第２実施例について、図面を参照して詳細に説明する。図４は、本考案の第２実施例の全体図である。第２実施例において本体（１１）は、第１実施例の本体（１）の直管部（１ａ）を曲管部（１１ａ）として構成したことを特徴としている。なお、本体（１１）の長手方向中間部に備えられた装着手段である装着金具（２）と、テニスコートの床面への設置手段であるスタンド部（３）は第１実施例と同様であるので説明は省略する。【００２１】  図４に示されるように、本体（１１）は、樹脂素材（ＡＢＳ、ポリエチレン、ポリプロピレン、ポリカーボネートや、カーボン繊維と各種合わせた熱可塑性樹脂など特に限定はしない）からなり、ブロー成型によってパイプ状に両端を開口して形成されている。また、パイプ状の本体（１１）は、上側端部にはボール（４）の投入口（１１ｂ）が開口し、投入曲部（１１ｃ）によって曲管部（１１ａ）とつながっている。他方、下側端部にはボール（４）の放出口（１１ｄ）が開口し、放出曲部（１１ｅ）によって曲管部（１１ａ）とつながっている。曲管部（１１ａ）は、緩い円弧を描くように形成されており、図４中の矢印に示されるように図１の直管部（１ａ）と比較して落下する角度をより急峻に設定することができる。【００２２】  そして、本体（１１）は、設置手段であるスタンド部（３）によってテニスコートの床面に設置される。スタンド部（３）は、図４に示されるように三脚を用いており、自由雲台（３ａ）を備えている。また、本体（１１）の長手方向中間部には、装着手段である装着金具（２）が、本体（１１）と一体あるいは別体で備えられ、スタンド部（３）の自由雲台（３ａ）にネジ止めなどによって接続固定される。スタンド部（３）は、三脚を用いているので、所望の高さに自在に調整することができ、自由雲台（３ａ）によって本体の傾き角度を所望の状態に調整することができる。【００２３】  図５は、第２実施例の使用状態を示す説明図である。図４の矢印にも示したように、曲管部（１１ａ）は、緩い円弧を描くように形成されており、図４中の矢印に示されるように図１の直管部（１ａ）と比較して落下する角度をより急峻に設定することができる。本体（１１）の使用方法については基本的に第１実施例と同じであるが、本体（１１）上側端部の投入口（１１ｂ）にボール（４）を入れる。すると、ボール（４）は、投入口（１１ｂ）から投入曲部（１１ｃ）に落下し、直管部（１ａ）と比較してより急峻な角度になった曲管部（１ａ）を落ちるが如く転がり落ち、放出曲部（１ｅ）によって放出口（１ｄ）から斜め上方に向かって球速を高めて放出される。球速が高まって放出されたボール（４）は、ボール軌跡（４ａ）に示されるように第１実施例の本体（１）と比較してより遠方にボール（４）を放出することができるのである。なお、ボール（４）の放出口（１１ｄ）から落下位置までの距離をＢとし、比較のために第１実施例の距離Ａも合わせて示した。【００２４】  このようにして、放出口（１１ｄ）からテニスコートの床面に落ちバウンドしたボール（４）を練習生がテニスラケットをストロークして打球する。これを繰り返して行うことによって、テニスの基礎のフ��ームを習得することができる。【００２５】  また、本体（１１）からボール（４）が放出される仰角、球速、落下位置と、ボール（４）のバウンド量は、本体（１１）の曲管部（１１ａ）の仰角及び高さを三脚のスタンド（３）と自由雲台（３ａ）によって適宜調整することによって所望の状態を得ることが可能である。例えば、本体（１１）の曲管部（１１ａ）の仰角を急にすることによってボール（４）の放出球速を高くすることができ、緩くすることによって放出球速は低くなる。これらを適切に調整することによって、ボール（４）が放出されたときの所望の仰角、球速、落下位置、バウンド量を得ることができる。そして、一度適切な角度に固定すれば、コーチの技量にかかわらず誰が球出しをしても常に練習生が打球をしやすい場所にボール（４）を一定の球速、落下位置、バウンド量で球出しをすることができるとともに、状況に応じて球速や落下位置、バウンド量を任意にセッティングすることができるテニス練習用器具を提供することが可能となった。
【実施例３】
【００２６】  本考案のテニス練習用器具の第３実施例について、図面を参照して詳細に説明する。図６は、本考案の第３実施例の全体図である。第３実施例において本体（１２）は、第１実施例及び第２実施例に示されるボール（４）を放出するのではなく、バトミントンにおけるシャトルコック（５）のディスペンサーとして使用できることを特徴としている。【００２７】  図６に示されるように、本体（１２）は、樹脂素材（ＡＢＳ、ポリエチレン、ポリプロピレン、ポリカーボネートや、カーボン繊維と各種合わせた熱可塑性樹脂など特に限定はしない）からなり、ブロー成型によってパイプ状に両端を開口して形成されている。また、パイプ状の本体（１２）は、上側端部にはシャトルコック（５）の投入口（１２ｂ）が開口し、投入曲部（１２ｃ）によって直管部（１２ａ）とつながっている。他方、下側端部にはシャトルコック（５）の取出口（１２ｄ）が開口し、取出曲部（１２ｅ）によって直管部（１２ａ）とつながっている。【００２８】  また、図６に示されるように、シャトルコック（５）は、紙コップのように複数スタッキングすることが可能であるので、スタッキングした状態のシャトルコック（５）は、本体（１２）に頭（ラケットで打つ先端部分のこと）が取出口（１２ｄ）側を向くようにして収容される。本体（１２）内に収容されたシャトルコック（５）は、スタッキングされた複数のシャトルコック（５）の自重で取出曲部（１２ｅ）の曲がりが抵抗となって取出口（１２ｄ）から勢い抜け落ちることがない。本体（１２）を図１に示されるようにスタンド部（３）にセットすれば、コーチは、取出口（１２ｄ）から頭を出したシャトルコック（５）の頭を掴んで１個ずつ引っ張り出し、連続してスムーズに練習生に対していわゆる球出しをすることができる。【００２９】  なお、図示しないが本体（１２）の投入口（１２ｂ）と取出口（１２ｄ）に着脱可能な蓋を備えれば、シャトルコック（５）の持ち運びや、保管時の利便性も高まる。
【符号の説明】
【００３０】１      本体
１ａ    直管部
１ｂ    投入口
１ｃ    投入曲部
１ｄ    放出口
１ｅ    放出曲部
２      装着金具
２ａ    ネジ部
３      スタンド部
３ａ    自由雲台
４      ボール
５      シャトルコック
１１    本体
１１ａ  曲管部
１１ｂ  投入口
１１ｃ  投入曲部
１１ｄ  放出口
１１ｅ  放出曲部
１２    本体
１２ａ  直管部
１２ｂ  投入口
１２ｃ  投入曲部
１２ｄ  取出口
１２ｅ  取出曲部
【図１】
0003215957.tif 000003
【図２】
0003215957.tif 000004
【図３】
0003215957.tif 000005
【図４】
0003215957.tif 000006
【図５】
0003215957.tif 000007
【図６】
0003215957.tif 000008